(57)【要約】【課題】薬剤の混合調製の監査を薬剤の混合調製作業を撮影した動画に基づいて行うに際し、容易に要チェック箇所を特定できる。【解決手段】実施形態の薬剤混合調製管理装置は、薬剤の混合調製に用いる薬剤の監査処理を行う。ここで、撮影部は、薬剤の混合調製の作業の動画撮影を行い撮影画像データを生成する。データ付加部は、撮影画像データの再生時に混合調製の作業過程の移行タイミングを基準とする動画再生を可能とするための制御データを、動画撮影時に付加する。【選択図】図４
2014171479.tif 000002
【特許請求の範囲】
【請求項１】
薬剤の混合調製に用いる薬剤の監査処理を行う薬剤混合調製管理装置において、
前記薬剤の混合調製の作業の動画撮影を行い撮影画像データを生成する撮影部と、
前記撮影画像データの再生時に前記混合調製の作業過程の移行タイミングを基準とする動画再生を可能とするための制御データを、前記動画撮影時に付加するデータ付加部と、
を備えた薬剤混合調製管理装置。
【請求項２】
前記制御データは、前記動画再生における時間の流れと場面の移り変わりを表すタイムライン表示において、前記移行タイミングを基準とする画面への画面遷移を指示させるためのデータである、
請求項１記載の薬剤混合調製管理装置。
【請求項３】
前記移行タイミングを特定するタイミング特定部を備えた請求項１または請求項２記載の薬剤混合調製管理装置。
【請求項４】
前記タイミング特定部は、前記薬剤の混合調製における混合途中の薬剤の重量変化タイミング、前記混合調製対象の薬剤のコードシンボルが読み込まれたタイミング、前記薬剤のリストに表示されている薬剤の選択操作がなされたタイミングあるいは音声認識により前記混合調製対象の薬剤が特定されたタイミングの少なくともいずれかのタイミングを前記移行タイミングとして検出する、
請求項３記載の薬剤混合調製管理装置。
【請求項５】
前記制御データが付加された前記撮影画像データを通信ネットワークを介して送信する送信部を備えた薬剤混合調製管理装置。
【請求項６】
薬剤の混合調製に用いる薬剤の監査処理を行う薬剤混合調製管理装置をコンピュータにより制御するための制御プログラムであって、
前記コンピュータを、
前記薬剤の混合調製の作業の動画撮影を行い撮影画像データを生成する撮影手段と、
前記撮影画像データの再生時に前記混合調製の作業過程の移行タイミングを基準とする動画再生を可能とするための制御データを、前記動画撮影時に付加するデータ付加手段と、
して機能させる制御プログラム。
【発明の詳細な説明】
【技術分野】
【０００１】
本発明の実施形態は、薬剤混合調製管理装置及び制御プログラムに関する。
【背景技術】
【０００２】
従来、病院の薬剤部や、病棟の看護師ルームなどにおいては、薬剤師や看護師が医師の作成した処方箋、注射処方箋等の指示書に基づいて処方する薬剤の混合調製作業（以下、混注という。）を行っていた。
混注を行うに際しては、まず、指示書を見て処方薬となっている複数の薬品を取揃え、取揃えた複数の薬品を適切な手順で計量、溶解、混合等を行う必要がある。
【発明の概要】
【発明が解決しようとする課題】
【０００３】
ところで、この混注を確実に行うために、混注前には、取揃えた複数の薬品が処方すべき薬剤であるか否かを、薬品のラベルと指示書を見てチェックする監査作業を行っていた。
また、取揃えた複数の薬品を適切な手順で計量、溶解、混合等を行ったか否かをチェックするには、混注作業者の作業工程をチェックする監査者を配置する必要があるが、混注作業の手順は、対象となる薬品の種類毎に異なることとなり、熟練を要するとともに、監査に必要な時間も膨大になってしまっていた。
【課題を解決するための手段】
【０００４】
実施形態の薬剤混合調製管理装置は、薬剤の混合調製に用いる薬剤の監査処理を行う。
ここで、撮影部は、前記薬剤の混合調製の作業の動画撮影を行い撮影画像データを生成する。
データ付加部は、撮影画像データの再生時に混合調製の作業過程の移行タイミングを基準とする動画再生を可能とするための制御データを、動画撮影時に付加する。
【図面の簡単な説明】
【０００５】
【図１】図１は、薬剤混合調製管理システムの概要構成ブロック図である。
【図２】図２は、混注端末装置の概要構成ブロック図である。
【図３】図３は、監査者用の情報処理端末装置の概要構成ブロック図である。
【図４】図４は、混注作業時の混注端末装置の処理フローチャートである。
【図５】図５は、監査処理用の動画撮影／表示画面の説明図である。
【図６】図６は、混注作業の監査時の監査者用の情報処理端末装置の処理フローチャートである。
【発明を実施するための形態】
【０００６】
次に実施形態の好適な態様について図面を参照して説明する。
図１は、薬剤混合調製管理システムの概要構成ブロック図である。
薬剤混合調製管理システム１０は、電子カルテを管理し、記憶する電子カルテサーバ１１と、電子カルテの記入などを行うための医師用の情報処理端末装置１２と、電子カルテサーバ１１が管理する電子カルテの参照及び確認を行うための看護師用の情報処理端末装置１３と、電子カルテに含まれる処方箋情報に基づいて薬剤の取り揃え等の混注支援を行う複数の混注端末装置１４と、薬剤部に配置され薬剤払出等を管理する薬剤部サーバ１５と、混注作業の監査を行うための監査者用の情報処理端末装置１６と、を備えている。
上記構成において、電子カルテサーバ１１、情報処理端末装置１２、情報処理端末装置１３、混注端末装置１４、薬剤部サーバ１５及び情報処理端末装置１６は、通信ネットワーク１７に接続されている。
【０００７】
図２は、混注端末装置の概要構成ブロック図である。
混注端末装置１４は、混注端末装置１４全体を制御するＭＰＵ３１と、制御プログラムを含む各種データを不揮発的に記憶するＲＯＭ３２と、ワークエリアとして機能するとともに、各種データを一時的に記憶するＲＡＭ３３と、データベース等の大容量データを記憶可能なハードディスクドライブ、ＳＳＤ（Ｓｏｌｉｄ  Ｓｔａｔｅ  Ｄｒｉｖｅ）として構成された外部記憶装置３４と、タッチパネルディスプレイ３５を構成しているディスプレイ３６及びタッチパネル３７と、薬剤のバーコード、薬剤の画像などをスキャンし、特定するオブジェクトスキャナとして構成されたスキャナ３８と、各種情報をプリントアウトするためのプリンタ３９と、通信インタフェース動作を行う通信インタフェース４０と、混注作業を動画として撮影する（ビデオ）カメラ４１と、音声を入力するためのマイク４２と、マイク４２から入力された音声の音声認識を行う音声認識部４３と、混合調製中の薬剤の重量を測定する計量器４４と、を備えている。
【０００８】
ここで、タッチパネルディスプレイ３５、スキャナ３８、プリンタ３９、通信インタフェース４０、カメラ４１、音声認識部４３及び計量器４４は、入出力Ｉ／Ｏ４５を介してバス４６に接続されている。
このバス４６には、ＭＰＵ３１、ＲＯＭ３２、ＲＡＭ３３及び外部記憶装置３４が接続されている。
【０００９】
図３は、監査者用の情報処理端末装置の概要構成ブロック図である。
監査者用の情報処理端末装置１６は、情報処理端末装置１６全体を制御するＭＰＵ５１と、制御プログラムを含む各種データを不揮発的に記憶するＲＯＭ５２と、ワークエリアとして機能するとともに、各種データを一時的に記憶するＲＡＭ５３と、データベース等の大容量データを記憶可能なハードディスクドライブ、ＳＳＤ（Ｓｏｌｉｄ  Ｓｔａｔｅ  Ｄｒｉｖｅ）として構成された外部記憶装置５４と、タッチパネルディスプレイ５５を構成しているディスプレイ５６及びタッチパネル５７と、各種情報をプリントアウトするためのプリンタ５８と、通信インタフェース動作を行う通信インタフェース５９と、を備えている。
【００１０】
ここで、タッチパネルディスプレイ５５、プリンタ５８及び通信インタフェース５９は、入出力Ｉ／Ｏ６０を介してバス６１に接続されている。
このバス６１には、ＭＰＵ５１、ＲＯＭ５２、ＲＡＭ５３及び外部記憶装置５４が接続されている。
【００１１】
次に実施形態の動作について説明する。
混注を行うに先立って、医師により情報処理端末装置１２を用いて薬剤の処方箋データを含む電子カルテが作成されて、電子カルテサーバ１１に登録されているものとし、処方箋データには、混注対象の薬剤を特定するための情報及び各薬剤の必要数に関する情報が含まれるとともに、当該処方箋データを特定するための指示番号（オーダーナンバー）が割り振られ、この指示番号は、混注対象の薬剤を取り揃え、混注作業を行う薬剤師や看護師に混注指示書とともに渡される、あるいは、混注指示書にバーコード等のシンボルコードとして印刷されているものとする。
【００１２】
一方、混注対象の薬剤の取り揃え及び混注作業を実際に行う看護師等のオペレータは、指示番号を受け取ると、混注対象の薬剤の取り揃え作業を行う。
まず、混注薬剤の取り揃え時の処理について概要を説明する。
混注端末装置１４のタッチパネルディスプレイ３５のディスプレイ３６には、初期状態において、ログイン画面が表示されている。したがって、混注端末装置１４のオペレータは、所定の手順（例えば、ＩＤカードを読み取らせる、ＩＤ番号を入力する等）によりログイン処理を行い、オペレータの認証を行う。
【００１３】
ログイン処理によりオペレータの認証がなされると、混注端末装置１４のＭＰＵ３１は、ディスプレイ３６の表示画面に別途発行された混注指示バーコードの読み取りを促す画面を表示するので、オペレータは、混注指示バーコードをスキャナ３８の前にかざして、混注指示バーコードを読み取らせる。
【００１４】
これにより、オペレータがスキャナ３８により混注指示バーコードを読み込ませると、混注端末装置１４のＭＰＵ３１は、通信インタフェース４０及び通信ネットワーク１７を介して、電子カルテサーバ１１あるいは薬剤部サーバ１５に対して指示内容の問い合わせを行い、取得した混注対象の薬剤のリストデータに基づいて、取り揃えるべき薬剤のリストを含む指示内容表示画面を表示する。
【００１５】
これにより、オペレータは、指示内容表示画面の取り揃えるべき薬剤のリストに従って、薬剤を取り揃え、再びスキャナ３８に薬剤に貼付されているバーコードを読み込ませることにより、薬剤取り揃え時の監査処理を行うこととなる。
そして、取り揃えるべき薬剤のリストに含まれる全薬剤のバーコードが読み込まれると、薬剤の監査（取り揃え）作業を終了する。
【００１６】
次に混注作業時の処理について説明する。
図４は、混注作業時の混注端末装置の処理フローチャートである。
本実施形態においては、別途混注作業の監査処理を行うために、混注作業をカメラ４１により動画撮影を行うこととなっている。
【００１７】
まず、混注端末装置１４のＭＰＵ３１は、オペレータがタッチパネル３７を操作して撮影指示を行ったか否かを判別する（ステップＳ１１）。この場合において、撮影指示を直接的に行うように構成することも可能であるし、混注作業の開始が指示されたことをもって撮影指示が（間接的に）なされたものとみなすように構成することも可能である。
ステップＳ１１の判別において、撮影指示がなされていない場合には（ステップＳ１１；Ｎｏ）、混注端末装置１４のＭＰＵ３１は、待機状態となる。
【００１８】
ステップＳ１１の判別において、撮影指示がなされた場合には（ステップＳ１１；Ｙｅｓ）、ＭＰＵ３１は、入出力Ｉ／Ｏ４５を介してカメラ４１を制御し、あらかじめ設定された混注作業位置の動画を撮影させ、撮影画像データを生成させる（ステップＳ１２）。
これにより、タッチパネルディスプレイ３５のディスプレイ３６には、撮影中の動画が表示されることとなる。
【００１９】
図５は、監査処理用の動画撮影／表示画面の説明図である。
監査処理用の動画撮影／表示画面７０は、混注作業担当者名が表示される担当者名表示領域７１と、混注作業担当者を特定する混注作業担当者ＩＤが表示される担当者ＩＤ表示領域７２と、混注作業担当者の勤務日時が表示される勤務日時表示領域７３と、監査処理に対応する混注作業が複数存在する場合に、より指示番号の古い混注作業用の画面を表示するための第１表示内容切替ボタン７４と、監査処理に対応する混注作業が複数存在する場合に、より指示番号の新しい混注作業用の画面を表示するための第２表示内容切替ボタン７５と、混注作業対象の薬剤の処方対象の患者の氏名を表示する患者氏名表示領域７６と、混注作業対象の薬剤の処方対象の患者を特定するための患者ＩＤが表示される患者ＩＤ表示領域７７と、混注作業対象の薬剤の処方日付を表示する処方日付表示領域７８と、撮影中の動画（ビデオ）画像あるいは、再生中の動画（ビデオ）画像が表示される動画表示領域７９と、混注作業対象の処方薬の名称が表示される処方薬名称表示領域８０と、混注対象の薬剤名及び処方量が薬剤毎に表示される複数の混注対象薬剤リスト表示操作領域８１−１〜８１−３を備えた混注対象薬剤リスト表示操作領域８１と、薬剤の混合が既になされた薬剤に対応してチェックマークが表示される複数のマーク表示領域８２−１〜８２−３を備えたチェックマーク表示領域８２と、混注作業を行った調合日時が表示される調合日時表示領域８３と、撮影中の動画録画経過時間あるいは再生中の動画の再生経過時間及び場面内容の表示が関連づけられて表示されるタイムライン表示領域８４と、タイムライン表示領域８４と連動して、混注作業の作業過程がある過程から他の過程に移行したとされる移行タイミングに表示される移行タイミング表示操作子８５、８６と、動画再生時の制御を行うための複数の操作子が設けられた再生操作領域８７と、再生音量の調製を行う音量調製表示操作領域８８と、を備えている。
【００２０】
混注作業位置の動画の撮影及び撮影画像データの生成と並行して、ＭＰＵ３１は、混注作業を構成する複数の作業過程の移行を検出したか否かを判別する（ステップＳ１３）。
ここで、混注作業を構成する複数の作業過程の移行の検出について詳細に説明する。
混注作業は、一種類あるいは複数種類の薬剤の混合調製容器への投入作業と、混合作業との繰り返しである。
そこで、本実施形態においては、混注作業を構成する複数の作業過程の移行を検出するに際しては、各薬剤の混合調製容器への投入タイミングを検出するようにしている。
【００２１】
各薬剤の混合調製容器への投入タイミングの検出については、以下のようなものが挙げられる。
（１）オペレータにより、薬剤が投入され、当該オペレータにより複数の混注対象薬剤リスト表示操作領域８１−１〜８１−３のうちの投入した薬剤に対応する混注対象薬剤リスト表示操作領域８１−１〜８１−３のいずれかがタッチされたタイミング。
（２）スキャナ３８を介して、投入対象の薬剤のバーコードが読み込まれたタイミング。
（３）カメラ４１により撮影された画像の画像認識処理を行うことにより、投入対象の薬剤のバーコードあるいは薬剤名の読み取りが完了したタイミング。
（４）マイク４２から入力されたオペレータの音声を音声認識部４３により音声認識することにより、薬剤の投入が確認されたタイミング。
（５）計量器４４により混合調製容器の重量変化が検出されており、誤差を考慮した上で、投入されるべき薬剤に相当する重量変化が検出されたタイミング。
【００２２】
ステップＳ１３の判別において、混注作業を構成する複数の作業過程の移行を検出しなかった場合には（ステップＳ１３；Ｎｏ）、再び処理をステップＳ１２に移行して、以下同様の処理を行う。
ステップＳ１３の判別において、混注作業を構成する複数の作業過程の移行を検出した場合には（ステップＳ１３；Ｙｅｓ）、各薬剤の混合調製容器への投入タイミングを検出したＭＰＵ３１は、薬剤を投入した時刻（絶対時刻あるいは撮影開始時刻からの経過時間である相対時刻）、投入した薬剤の薬剤名、各薬剤の投入量のうち、少なくとも薬剤を投入した時刻に関するデータでタイムライン制御データを生成し、撮影画像データに付加する（ステップＳ１４）。
この場合において、タイムライン制御データは、撮影画像データに直接組み込まれるようにしても良いし、撮影画像データのメタデータとして別途付加するようにしても良い。
【００２３】
そして、タイムライン制御データは、タイムライン表示領域８４において、移行タイミング表示操作子８５、８６を表示するために用いられる。
この移行タイミング表示操作子８５、８６は、動画の撮影時には、選択することにより、対応する時刻、投入薬剤名等の表示がなされるようになっている。
【００２４】
移行タイミング表示操作子８６に対応するタイムライン制御データとしては、当該移行タイミングに対応する薬剤名がテキストデータとして含まれており、この場合には、図５に示すように、薬剤名を表すテキストが移行タイミング表示操作子８６に表示される。なお、このテキスト表示は常時表示するようにしても良いが、表示の見やすさの観点から、移行タイミング表示操作子８５のように、オペレータが移行タイミング表示操作子を選択あるいは操作した場合にのみ表示を行うように構成しても良い。
【００２５】
続いて、ＭＰＵ５１は、オペレータにより撮影終了の指示がなされたか否かを判別する（ステップＳ１５）。
ステップＳ１５の判別において、未だオペレータにより撮影終了の指示がなされていない場合には（ステップＳ１５；Ｎｏ）、処理をステップＳ１２に移行して、以下、同様の処理を繰り返す。
【００２６】
ステップＳ１５の判別において、オペレータにより撮影終了の指示がなされた場合には（ステップＳ１５；Ｙｅｓ）、カメラ４１による撮影を終了して、生成した撮影画像データを撮影画像ファイルとして、外部記憶装置３４に記憶するとともに、薬剤部サーバ１５あるいは監査者用の情報処理端末装置１６に通信ネットワーク１７を介して送信する。
これにより、薬剤部サーバ１５あるいは監査者用の情報処理端末装置１６は、ＨＤＤ等の外部記憶装置に撮影画像ファイルを記憶することとなる。
【００２７】
次に混注作業の監査時の処理について説明する。
図６は、混注作業の監査時の監査者用の情報処理端末装置の処理フローチャートである。
以下の説明においては、撮影画像ファイルは、薬剤部サーバ１５に格納されているものとし、再び図５を参照するものとする。
【００２８】
まず、監査者用の情報処理端末装置１６のＭＰＵ５１は、処方箋データを特定するための指示番号を伴う監査の指示が入力され、監査対象の撮影画像データの取得指示がなされたか否かを判別する（ステップＳ２１）。
ステップＳ２１の判別において、監査対象の撮影画像データの取得指示がなされていない場合には（ステップＳ２１；Ｎｏ）、情報処理端末装置１６のＭＰＵ５１は、待機状態となる。
【００２９】
ステップＳ２１の判別において、監査対象の撮影画像データの取得指示がなされた場合には（ステップＳ２１；Ｙｅｓ）、情報処理端末装置１６のＭＰＵ５１は、通信ネットワーク１７を介して薬剤部サーバ１５に問い合わせを行い、撮影画像ファイルに対応する撮影画像データ及び混注対象の薬剤のリストを取得する（ステップＳ２２）。
そして情報処理端末装置１６のＭＰＵ５１は、図５に示したように、監査処理用の動画撮影／表示画面７０を表示する。
【００３０】
すなわち、情報処理端末装置１６のＭＰＵ５１は、担当者名表示領域７１に混注作業担当者名を表示し、担当者ＩＤ表示領域７２に混注作業担当者を特定する混注作業担当者ＩＤを表示し、勤務日時表示領域７３に混注作業担当者の勤務日時を表示する。
【００３１】
さらに情報処理端末装置１６のＭＰＵ５１は、患者氏名表示領域７６に処方対象の患者の氏名を表示し、患者ＩＤ表示領域７７に患者を特定するための患者ＩＤを表示し、処方日付表示領域７８に混注作業対象の薬剤の処方日付を表示する。
そして、情報処理端末装置１６のＭＰＵ５１は、混注対象の薬剤のリストを混注対象薬剤リスト表示操作領域８１に表示する（ステップＳ２３）。
【００３２】
続いて、情報処理端末装置１６のＭＰＵ５１は、タイムライン表示領域８４にタイムライン表示を行うとともに、タイムラインコントローラとしての移行タイミング表示操作子８５、８６を表示する（ステップＳ２４）。
この状態で、情報処理端末装置１６のＭＰＵ５１は、オペレータが再生操作領域８７の操作を行って再生を指示したか否かを判別する（ステップＳ２５）。
【００３３】
ステップＳ２５の判別において、再生指示が未だなされていない場合には（ステップＳ２５；Ｎｏ）、情報処理端末装置１６のＭＰＵ５１は、待機状態となる。
ステップＳ２５の判別において、再生指示がなされた場合には（ステップＳ２５；Ｙｅｓ）、情報処理端末装置１６のＭＰＵ５１は、動画の再生を開始し、動画表示領域７９には、動画（ビデオ）画像が表示される（ステップＳ２６）。
【００３４】
画像の再生と並行して、情報処理端末装置１６のＭＰＵ５１は、移行タイミング表示操作子８５、８６をオペレータが操作することによる、タイムライン画面遷移が指示されたか否かを判別する（ステップＳ２７）。
ステップＳ２７の判別において、タイムライン画面遷移が指示されていない場合には（ステップＳ２７；Ｎｏ）、情報処理端末装置１６のＭＰＵ５１は、オペレータの再生操作領域８７の操作子の操作により再生終了指示がなされたか否かを判別する（ステップＳ２８）。
【００３５】
ステップＳ２８の判別において、未だ再生終了指示がなされていない場合には（ステップＳ２８；Ｎｏ）、情報処理端末装置１６のＭＰＵ５１は、処理を再びステップＳ２６に移行して、画像再生を継続する。
ステップＳ２８の判別において、再生終了指示がなされた場合には（ステップＳ２８；Ｙｅｓ）、情報処理端末装置１６のＭＰＵ５１は、画像再生処理を終了する。
【００３６】
一方、ステップＳ２７の判別において、移行タイミング表示操作子８５、８６等をオペレータが操作することによる、タイムライン画面遷移が指示された場合には（ステップＳ２７；Ｙｅｓ）、情報処理端末装置１６のＭＰＵ５１は、操作された移行タイミング表示操作子８５、８６に対応する時刻（たとえば、薬剤の投入タイミングを基準とした時刻）に対応する再生画面に遷移させる。
【００３７】
具体的には、移行タイミング表示操作子８６が操作された場合には、図５の例の場合、タイムライン表示領域８４の一目盛りは約１０秒に相当するので、薬剤「９９ｍＴｃＯ４」の投入時刻は、１０時５分のおよそ３５秒前（３．５目盛り）である１０時４分２５秒前後の時刻（基準時刻）であり、見逃しを防止するために基準時刻から所定の時間（たとえば、５秒前）の１０時４分２０秒から再生を行うように動作する。
【００３８】
以上の説明のように、本実施形態によれば、混注対象の薬剤の監査作業において、動画を用いて監査を行う場合に、特に注意して監査をすべきポイントを容易に把握でき、監査処理が行えるので、監査時間を短縮でき、監査担当者が少ない状況であってもより多くの監査を行うことができる。
【００３９】
またタイムライン表示を行う場合に、混注作業において投入した薬剤の情報（薬剤名、投入量など）をテキストとして表示できるので、監査者はより状況を容易に把握でき、確実に監査を行うことができる。
【００４０】
以上の説明においては、薬剤混合調製管理装置として構成している混注端末装置１４を据置型の情報処理装置（コンピュータ）として構成していたが、これに限らず、タブレット型情報処理装置、ノート型情報処理装置、スマートフォン等の携帯型情報処理装置として構成することも可能である。
この場合に、プリンタとしては、無線ＬＡＮ等で接続したものを用いるように構成することも可能である。
【００４１】
以上の説明においては、混注対象の薬剤を特定するに際し、スキャナ３８あるいはカメラ４１により、読み取るコードとして、例えば、ＧＳ１データバーと呼ばれるバーコードを用いていたが、バーコードに限らず、ＲＦＩＤを用いるように構成することも可能である。
【００４２】
以上の説明においては、薬剤混合調製管理装置として構成している混注端末装置１４を病院で用いる場合を例として説明したが、これに限らず、調剤薬局、研究室、実験室等の薬剤混合調製を行う必要がある部門であれば、同様に適用することが可能である。
【００４３】
本実施形態の薬剤混合調製管理装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００４４】
また、本実施形態の薬剤混合調製管理装置で実行される制御プログラムを、インターネット等のネットワークに接続されたコンピュータ上に格納し、ネットワーク経由でダウンロードさせることにより提供するように構成してもよい。また、本実施形態の薬剤混合調製管理装置で実行される制御プログラムをインターネット等のネットワーク経由で提供または配布するように構成してもよい。
【００４５】
また、本実施形態の薬剤混合調製管理装置の制御プログラムを、ＲＯＭ等に予め組み込んで提供するように構成してもよい。
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１０    薬剤混合調製管理システム
１１    電子カルテサーバ
１２、１３    情報処理端末装置
１４    混注端末装置
１５    薬剤部サーバ
１６    情報処理端末装置
１７    通信ネットワーク
３１    ＭＰＵ
３４    外部記憶装置
３５    タッチパネルディスプレイ
３８    スキャナ
４１    カメラ
４２    マイク
４３    音声認識部
４４    計量器
５１    ＭＰＵ
５５    タッチパネルディスプレイ
５９    通信インタフェース
７０    動画撮影／表示画面
８１    混注対象薬剤リスト表示操作領域
８２    チェックマーク表示領域
８２−１〜８２−３    マーク表示領域
８４    タイムライン表示領域
８５    移行タイミング表示操作子
８６    移行タイミング表示操作子
８７    再生操作領域
【先行技術文献】
【特許文献】
【００４７】
【特許文献１】特開２００５−３３４０５６号公報
【図１】
2014171479.tif 000003
【図２】
2014171479.tif 000004
【図３】
2014171479.tif 000005
【図４】
2014171479.tif 000006
【図５】
2014171479.tif 000007
【図６】
2014171479.tif 000008